(57)【特許請求の範囲】
【請求項１】
電場において水素を生産するためのデバイスであって、
上記のデバイスが真空の保護ハウスへ留められた密閉されたベアリングにおいて掛けられたものであるシャフトへ留められたディスクと同様の構造を含むものであると共に、
前記真空の保護ハウスが上記のディスクと同様の構造を囲むものであると共に、
上記のシャフトに配置されたある数のインレットチャネルが前記シャフトの一つの末端からディスクと同様の構造の周辺に配置された一つの又はより多い電気分解のセルまで分解される媒体を補給するものであると共に、
上記の電気分解のセルが電気が補給されたものである第一の及び第二の電極を含有するものである、デバイスにおいて、
前記真空の保護ハウスへ留められたある数の螺旋形の拡散体、前記セルからノズル及び前記螺旋形の拡散体の間における少量のクリアランスで上記の螺旋形の拡散体の内側に配置されたノズルまで生産されたガス及び材料の残留物を導くものであるチャネル、前記構造が前記ノズルから放出されたものである前記生産されたガスからのガスの圧力から回転するために配置されたものであること
において特徴付けられた、デバイス。
【請求項２】
請求項１に従ったデバイスにおいて、
前記デバイスは、分解される媒体における炭化水素が補給されたものである
ことにおいて特徴付けられた、デバイス。
【請求項３】
請求項１又は２に従ったデバイスにおいて、
前記デバイスは、液体及び／又は固体の状態において水素、酸素、及び二酸化炭素を生産するために配置されたものである
ことにおいて特徴付けられた、デバイス。
【請求項４】
請求項３に従ったデバイスにおいて、
生産されたガスは、共通のアウトレットチャネルにおいて放出されたものである
ことにおいて特徴付けられた、デバイス。
【請求項５】
請求項３又は４に従ったデバイスにおいて、
前記デバイスは、分別された蒸発によって微細に生産されたガスを分離するために適合させられたものである
ことにおいて特徴付けられた、デバイス。
【請求項６】
請求項１に従ったデバイスにおいて、
上記のインレットチャネルにおける一つの又はより多い自己調節するノズル
において特徴付けられた、デバイス。
【請求項７】
請求項１に従ったデバイスにおいて、
前記電気分解のセルを囲む一次的な熱交換器によって後に続けられたインレットチャネルに配置された二次的な熱交換器
において特徴付けられた、デバイス。
【請求項８】
請求項１に従ったデバイスにおいて、
不活性なガスは、前記セルへ補給されたものである
ことにおいて特徴付けられた、デバイス。
【請求項９】
請求項１又は４に従ったデバイスにおいて、
前記螺旋形の拡散体は、サイクロンセパレーターへ接続されたものである
ことにおいて特徴付けられた、デバイス。
【請求項１０】
請求項１に従ったデバイスにおいて、
前記デバイスの前方に又はそれの後に接続された冷却する装置
において特徴付けられた、デバイス。
【請求項１１】
請求項１に従ったデバイスにおいて、
前記構造へ接続された少なくとも一つのタービン
において特徴付けられた、デバイス。
【請求項１２】
請求項１又は１１に従ったデバイスにおいて、
前記構造へ接続された電気の発生器
において特徴付けられた、デバイス。
【請求項１３】
少なくとも一つの電気分解のセルへ分解される媒体を補給すること及び前記少なくとも一つの電気分解のセルを回転させることのステップを含んだ、水素を生産するための方法において、
前記セルによって生産されたガスを冷却すること及び圧力の下でそれを分離すること、
前記セルから前記電気分解のセルの周辺に配置されたノズルまで前記生産されたガス及び材料の残留物を補給すること、
前記ノズルから放出された前記生産されたガスからのガスの圧力によって前記セルが回転することを強制すること
において特徴付けられた、方法。
【請求項１４】
請求項１３に従った方法において、
前記セルへ不活性なガスを補給すること
において特徴付けられた、方法。
【発明の詳細な説明】
【技術分野】
【０００１】
発明の分野
本発明は、高い圧力での又は液化された形態におけるクリーンな水素ガスの生産に関係させられたものである。
【背景技術】
【０００２】
技術的な背景
今日、全部のエネルギーの勘定が、未加工の材料から圧縮された又は液化された水素まで見積もられたものであるとき、それは、水素を生産することが、非常にエネルギーを要求することである。今日の技術では、水素は、同じエネルギーの含有率を備えたガソリン、ディーゼル等と同様の代替の燃料と比べて２０−３０％より多い高価なものであることになる。
【０００３】
同時に、最も有効な生産ユニットは、大きい、複雑化された、及び高価なものである。それらは、また、より高価なものに生産された水素をすることの部分であるところの頻繁な維持のルーチンを要求する。
【０００４】
今日、水素の生産の最も多いものは、スチームリフォーミング（水蒸気改質）によって成し遂げられたものであるが、そこでは、残留物のＣＯ２は、気候上の破壊するものであるであるところの、雰囲気の中へ出る。それは、これの問題を取り扱うことにおいて調査されたものであると共に、知られた技術では、それは、例えば、炭化水素の貯蔵所においてＣＯ２を堆積させることに対して水素におけるエネルギーの２０−３０％の等価物を要求することになるが、そこでは、それは、同時により多い炭化水素が抽出されたものであることができる。
【０００５】
熱が、水素の生産の間に必要とされたものであるとき、それは、それらが、合計で９５％のものでＭＩＴにおいて管理される必要があるところの、熱的なエネルギーを再循環させることができるものであることにおいて調査されたものである。
【０００６】
先のノルウェーの特許出願第２００６４４０７号（特許文献１）において、それは、電気分解による水素の生産のためのデバイス及び方法が記載されたものである。デバイスは、デバイスのアウトレット（出口）における調整弁によって助けられたデバイスの外で加圧された分離されたガスを届けることができるところの小型の回転するものである水素生産ユニットを含有する。しかしながら、調整弁及びシャフトの末端に確立されたスリップチャンバーは、迅速な摩耗、漏れ、及び抵抗へ露出されたものであることができるであろう。
【先行技術文献】
【特許文献】
【０００７】
【特許文献１】ノルウェー国特許出願第２００６４４０７号明細書
【発明の概要】
【課題を解決するための手段】
【０００８】
発明の概要
本発明は、独立な水、電解質、若しくは炭化水素、又は混合させられたもの、又は電場において触媒によって助けられたものというような分裂させられた媒体からの水素の生産のためのデバイス及び方法を提供するが、そこでは、生産されたＨ２、Ｏ２、及びＣＯ２は、有効な分離されたものであるが、そこでは、ガスは、回転するデバイスの中へと分裂させられた媒体における圧力と比べてデバイスの外でより高い圧力を有する。デバイスは、また、エンジンとして再接続されたものであることができる。
【０００９】
発明に従ったデバイスは、小型の、有効なものであると共に、高い生産の率及び流れを通じたスピードを有する。
【００１０】
発明の利点は、電気分解のセルが、ガスが高いＧの条件の下で産出したという方式で回転するものであるという理由のためである。高いＧは、分裂させることによって生産されたものであるところの、ガスの泡が、小さいものになると共に急速に分裂させられた媒体から分離されたものになることを意味する。それと共に、それは、分裂させられた媒体の十分なものが、その間ずっと急速なターンをすると共にわずかに電極をカバーすることになると共に、なぜデバイスが、小さい電極で形成されたものであるが、しかし、しかしながら、高い流れを通じたスピードでガスを生産するのかということのわけである。デバイスは、また構築されたものであるが、それで、それは、超臨界的な圧力及び温度より上で（２２２バール及び３７４℃を超える）動作することができるものであることができる。そして、各々の生産された蒸気は、水素と比べてはるかにより高い密度を有することになると共に簡単に分離されたものであることができると共に、非常に少量の又は全くない残り物の蒸気は、ガスに取り残されたものである。デバイスは、正常な貯蔵する圧力でガスを届ける及び／又は液化されたものである。回転は、適合させられたものであるところの各々の／接合された螺旋形の拡散体へ、各々の／集められたガスについて分離された／接合されたノズルを通じて加圧されたガスによって実行されたものであるが、それで、ガスのいくらか又は全ては、氷又は液体の形態の上へ段階的に実行すると共に、ガスは、蒸発の順序で区分チャンバーの内側で徹底的に細分する。工程の間に生産されたものであるところの熱及び冷気は、デバイスの中で及びそれの外側で再循環させられたものである。再循環させられた冷たい又は液体の不活性なガスは、温度を低下させるために、及び、ガスが酸化することを予防するために、分裂させることの後にセルへ調節された割合において加えられたものであることができるであろう。不活性なガスは、生産されたガスと比べてはるかに多量で加えられたものである必要があると共に、熱の理由のために、不活性なガスは、エネルギーを変換するデバイスで変換されたエネルギーであることができるところのより高い圧力を獲得するが、そこでは、変換されたエネルギーは、現実の発明へ加えられたもの、たとえば、電極へのいくらかの電気、入力の物質の加圧をすること、及び回転、であることができるであろう。調節された量によって、生産ガスというような不活性のガスは、燃焼させることが許容されたものであると共に、それが、加えられたものであることができるところでは、燃焼におけるより多い燃料及び酸素は、エネルギー変換は、増加させられたものであることができると共にデバイスは、モーターになる。
【００１１】
発明の内容は、添付された請求項において定義されたものである。
【図面の簡単な説明】
【００１２】
【図１】図１は、発明の実行の形態を示す図である。
【発明を実施するための形態】
【００１３】
図面の短い記載
発明は、今、添付された図面への参照において詳細に記載されたものであることになるが、それにおいて：
図１は、発明の実行の形態を示すが、そこでは、回転デバイスのシャフト及び半分の一方、つなぎ留められた真空のハウス、及び拡散体の螺旋形のもの、の縦の断面は、示されたものである；他の半分は、シャフトの一方の側に沿って示されたものであるところの半分の構造の鏡像である。
【００１４】
発明の詳述された記載
図１は、発明の原理の部分、すなわち、ユニットにおけるシャフトの末端に置かれた密閉されたベアリング１０２ａ，１０２ｂを備えたつなぎ留められた真空のハウス１０１において掛けられたものであるところの速い回転する水素を生産する圧力ユニットを示す。水素を生産するユニットは、ユニットにおいて周辺に配置された電気分解セル１１０を含有する。セル１１０は、水、電解質、炭化水素、又はそれの混合物を分裂させるために構築されたものであるが、それは、シャフトにおけるチャネルを介して補給されたものである。真空のハウスへ、それは、また、（遠心分離の圧縮器におけるもののような）留められた／つなぎ留められた拡散体の螺旋形のもの１０７ｂ−ｃ−ｄ−ｅであるが、そこでは、生産されたガス及びセル１１０から去るものである物質は、自身のノズル１１４ａ−ｂ−ｃ−ｄへ各々の生産ガス／物質のための自身のチャネルにおいて分離する。ノズルは、各々の生産ガス／物質についての回転デバイス／シャフトにおけるライン／サークル１１４ａ−ｂ−ｃ−ｄを形成すると共に、ノズルにおけるより外側の壁及び拡散体におけるより内側の壁の間における少量の空間で前記の拡散体の螺旋形のものの内側にフィットさせられたものである。サークルにおけるノズルからのガスの圧力は、デバイスの回転を実行する。ユニットは、シャフトの上に／シャフトから離れて接続されたものであることができるところの代替のモーター１０４によって助けられた回転させられたものであることができる。真空／低い圧力は、真空ポンプ１０３を備えた保護の排気されたハウジング１０１の内側に確立されたものであるが、そこでは、空気及び／又はガスは、沈降物を累積させるタンク１２４へのチャネルにおいて密度を調整する弁１１４ｄ及び拡散体のより内側の壁１０７ｂの間において徹底的に吸引されたものであるが、そこでは、後退の弁を備えた真空ポンプ１０３は、チャネルと接続されたものである。ガスの生産の間に、保護のハウス１０１の内における真空／低い圧力を維持するところの、低い圧力は、他のノズルのサークル１１４ａ−ｂ−ｃ及びそれらの拡散体のより内側の壁１０７ｃ−ｄ−ｅの間に作り出されたものであることになる。真空は、回転ユニットにおける空気の抵抗を予防すると共に、熱の喪失及びノイスに対してユニットを孤立させる。セル１１０からの分裂させられた媒体の再循環させること及び調節することは、周辺におけるノズル１１４ｄ及び螺旋形の拡散体１０７ｂを介してなされたものであることができるが、そこでは、分裂させられた媒体は、動力学によって加圧されたものであると共に、分裂させられた媒体は、それが、インレット（入口）１０５の中へ逆戻りに圧せられたものである前に正当な温度及び混合物へ調節されたものである。分裂させられた媒体は、また、自身のノズルの円形のものの中へと（これは、より後に述べられたものである）及び拡散体の螺旋形のものを超えてシャフトに向かってセル１１０から（描かれたものではない）自身のチャネルの中へ導かされたものであることができる。セルからの分裂させられた媒体が、セルに向かった分裂させられた媒体と比べてより低い密度を獲得したとき、圧力アウトレットは、そのとき、インレットにおける圧力と比べてより高いものであることになると共に、そのとき、分裂させられた媒体は、ノズルのサークルにおけるノズルが、回転の方向において後方に調節されたものであるとき、回転の力を与えることになる。又は、ノズルが、より径の方向の調節されたものであるとき、圧力は、前記のもののような再循環させることに対するさらなる送付についてより押し上げられたものである。
【００１５】
回転がスタートするとき、水／電解質は、注入ノズル１０５の中へとポンプで汲み上げられた高い圧力で圧せられたものであることになるが、そこでは、分裂させられた流体（例えば、水／電解質）は、心棒の末端の中心における調節されたチャンネルに配置された（締めるための）付けられたチンメル（Ｚｉｍｍｅｒ）リングを備えたニードルのノズルを通じてポンプで汲み上げられたものである。流体は、シャフトのチャンネルの中へと注入器の原理のように注入されたものであるが、そこでは、流体は、二次的な熱交換器１０８に沿った（そこでは、分裂のセルからの熱いガスは、流体へ熱を与える）及び（分裂のセル１１０を取り巻くものであるところの）主要な熱交換器１０９に沿った、並びに、その後に分裂のセル１１０へ、より多いシンクのチャネルの中への分岐である。分裂のセル１１０における電極１１１の一つは、シャフトの末端の一方に接点１１２ａから絶縁された伝導体を介してＤＣの電気が補給されたものであると共に、デバイスが、電気の伝導体であるとき、電極の一つは、デバイス及び他方のシャフトの末端における接点１１２ｂとの接触におけるものであることができるであろう。
【００１６】
セル１１０へ電解質の流体を使用することによって、及び、電極１１１の間における低い電圧で、そのとき生産された水素は、シャフトに向かって浮かぶ／上昇すると共に、二次的な熱交換器１０８を通じて、水素チャンネル１１３の中へ、及び、チャンネルにおいて、さらに周辺でノズル１１４ｃへ、速く分離することになるが、そこでは、水素ガスは、（ノズルのサークル１１４ｃ前における圧力／温度及び拡散体の螺旋形のもの１０７ｅの末端における圧力／温度に依存するものであると共に、同じ関係は、生産の方法と独立な生産のガスの全てについて成り立つ）加圧された及び／又は液化された累積するもの１１６に沿って拡散体の螺旋形のもの１０７ｅへ急速に流動する。ノズルのサークル１１４ａ−ｂ−ｃにおけるノズルは、それの拡散体の螺旋形のもの１０７ｃ−ｄ−ｅを介して累積するものである１１９、１２１、１１６へ生産のガスの圧力、回転、及び流動を調整することに適合させられたものである。酸素は、その後に各々の側からの酸素が酸素チャネル１１８ａに集められたものであるところの主要な熱交換器１０９を通じて、対応するものである酸素のチャネル１１７において分裂のセル１１０の外における電極１１１の上部のものと同じ水準で側部におけるチャネル１１７を通じて取り出されたものであるが、二次的な熱交換器１０８を通じて、その後に酸素チャネル１１８ａは、周辺でノズルのサークル１１４ａにおける各々のノズルに至るところの共通の酸素チャネル１１８ｃの中へと各々の側から集められたものであるが、そこでは、酸素は、拡散体の螺旋形のもの１０７ｃの中へと及び加圧された及び／又は液化された／濃縮されたアキュムレーター１１９へ高いスピードで押されたものである。酸素のチャネル１１８ａにおける水素の物質は、二次的な熱交換器１０８、周辺１１４ｂにおけるノズル、拡散体の螺旋形のもの１０７ｄ、及びアキュムレーター１２１を介して専用のチャネル１２０へと分離されたものである。酸素チャネル１１８ａの外におけるガスの圧力は、セル１１０からのチャネル１１３において水素における圧力と比べてより低いものであることができると共に、そのとき、水／上記の水準は、（臨界的な圧力より上に）酸素チャネル１１８ａにおいて少しだけ上へ上昇させることになると共に、セル１１０における水準が、対応するものである酸素チャネル１１７と同じもの又はそれより下のものであるとき、セル１１０からのガスの物質は、そのとき、泡立つ又は酸素チャンネル１１８ａの中へと流動することになると共に、セルからの液体の媒体は、沈降物のチャネル１３１を通じて流動することになると共に、より多い水／蒸気／炭化水素の残留物／ＣＯ（２）の残留物が、来るとき、混合させられたものであると共に、それのものが必要とされたものであるとき触媒作用を及ぼすことを助けるための触媒体の行とのより良好な接触におけるものである。
【００１７】
水の電気分解で、及び、Ｏ２が電解質と比べてより重いものになるというように高い圧力で、Ｏ２は、そのとき、周辺へ徹底的に急速に沈むことになる（このように、Ｈ２の反対の方式）と共に、そのとき、それは、周辺で密度調整弁１２５を通じて、Ｏ２が拡散体の螺旋形のもの１０７ｂ上に投げつけられたものであるところのノズル１１４ｄへ、及び、液化された累積１２４に沿って、取り除かれたものである。又は、液化された及び冷たい酸素は、シャフトを介して回転の配置へ逆戻りに導かれたものであると共に、それが、デバイスを去るものであるより前にＨ２を冷却するものであると共に、Ｈ２は、また、これの方式で液化されたものであることができると共に、Ｏ２は、さらに、強さを維持するために回転の配置を冷却することできる。液体のＯ２は、加熱することという理由のために、蒸発すると共に、より高い圧力で、拡散体へ軸方向に又は自身の拡散体の螺旋形のものへ径の方向にのいずれかで、シャフトからのチャネルを通じて外に導かれたものであることができるであろうが、そのとき、Ｏ２は、前記のもののような工程を通じた密度の差異の理由のために、配置の中へと有した。これの方法を使用することによって、合計して清浄なＨ２及びＯ２を達成することは、それは可能性のあることである。
【００１８】
ニッケル、ジルコニウム、イリジウム、複合の物質若しくはナノ技術の材料、又は前記の材料の組み合わせで作られたものであることができるところの電極１１１の間における電圧／電流を増加させることによって加熱されたものであるところの純粋な水の熱分裂させることで。電解質、ヨウ化物及び臭化物又は等価の材料のような化学物質／触媒は、また、分裂させられた温度を低減するためのノズル１０５からの入力のラインで分裂させられた媒体において加えられたものであることができる。水素及び酸素は、イオン化することによって、及び、作り出されたものであるところの熱によって、生産されたものである。分裂させられた媒体（水）が、（相対的な低いものであることができるところの）分裂させられた温度を低下するために分裂のセルにおいて材料及び触媒体と共に加えられたものであるとき、Ｈ２及びＯ２は、それらが、減らされた触媒及び温度を残すとき、各々の他のものと反応する（燃焼する）ものではないことになると共に、水／蒸気における分裂の限界は、生産のガス（これの場合におけるＨ２及びＯ２）がセル１１０において分離されたものであることになるものと共に、及び、電気分解及び電解質によって前記のものと同じ方式で外に導かれたものであることになると共に、可能性のあるスラグ／沈降物の材料又は水／蒸気と比べてより高い密度を備えた材料は、拡散体１０７ｂにおいて及び累積するもの１２４へ徹底的に密度を調整する弁１２５及びノズル１１４ｄによってセル及び酸素のチャネル１１８ａからのチャネル１１８ｂ、１２３、１３１を介して周辺で徹底的に投げつけられたものである。スラグの材料ためのノズル１１４ｄは、スラグの材料及び分裂させられた材料のいくつかが通過することを許容するために調節されたものであることができる。これによって密度を調整する弁１２５は、より少なく必要とされたものである。
【００１９】
水の電気分解の及び熱分裂の工程の両方において、生産ガスＨ２及びＯ２は、上昇チャネル１１３及び酸素チャネル１１７、又は前記のチャネルの一つを介して（描かれたものではない）外に導かれたものである、集められたものである／混合させられたものである、ことができる。生産ガスの酸化を予防するために、それらは、冷却されたものである／液化されたものであることができるであろうところの、不活性なガス、例えばＣＯ２、と混合させられたものであることができるであろうと共に、インレット１０６からの及び（今）不活性なガスの分配器１１５までのラインにおいて適合させられた量において加えられたものであることができるが、そこではガスは、冷却することを調節するために電極１１１の間に沿って若しくはそれらのより外側の側面において、又は電極を通じてチャネルにおいて、上昇すると共に、不活性なガスは、電極の上部の外に出てくるが、そこでは、各々の電極からの不活性なガスは、セル１１０においてそれと混合させられたものであることになるところの生産ガスの上に相互に案内されたものである。又は、周辺を介してシャフトにおける自身のチャネルから、及び、電極１１１における不活性なガスチャネルの上にまで、又は、セル１１０まで、そこでは不活性なガスは、シャフトを回ってサークルに沿ったノズルの行から高いスピードで電極１１１の上部へ補給されたものであることができると共に、それは、水素チャネル１１３の各々の側における所に並びにそれのチャネル及び酸素チャネル１１７の間に置かれたものであることができるであろう不活性なガスの溶液と共に、それは、後に続く接続を備えたセル１１０の側面１１７，１３１における又は上部１０３からのアウトレットチャネルについてより少ない要望である。ガスの混合物における圧力及び温度は、それらが拡散体の螺旋形のもの１０７ｅの末端からのものであることの方式で調節されたものであるが、そこではＣＯ２は、液体としてのＯ２及び冷たいガスとしてのＨ２と共に、氷として取得されたものである／徹底的に細分されたものである。又は、ＣＯ２及びＯ２は、これの目的のためのモジュールチャンバーにおいて蒸発の順序における分離のためのものに沿って、液体の状態で、ポンプで汲み上げられたものである。ガスの状態におけるものであるところの、Ｈ２は、拡散体の螺旋形のもの１０７ｅの末端から沿って圧縮されたものであることができる。
【００２０】
不活性なガスのための前記の溶液において、生産ガスは、混合物の関係が、それについて調節されたものであるとき、セルにおける不活性なガスにおいて燃焼することがまた許容されたものであることができると共に、それは、ガスが、ノズル、エネルギーを変換するためのタービン、を通じて導かれたものであるとき容量を増加させるために、前記の不活性なガスのノズル（電極又はセルの壁）のようなものと同じエリアから適合させられた量の燃料及び酸素が、また補給されたものであることができると共に、ユニットは、エンジンになる。水の蒸発が、前記のもののようにセルへ逆戻りに凝縮体であることができるとき、それは、実際的に、前記のタービンの後に液体又はドライアイスまで凝縮体であることができるところの、ＣＯ２であることができるところの、不活性なガスのみであることができるであろうが、そこでは、それのいくらかは、不活性なガスのいくらかが、サーキットに密閉されたものであるように、液化されたもの又は冷たいガスとして、セルへ逆戻りにポンプで汲み上げられたものである／導かれたものであると共に、残留物は、堆積させられたものである。前記のエンジンの溶液は、また、前記のもののようなスチーム・リフォーミングと組み合わせられたものであることができる。
【００２１】
回転デバイスは、生産ガスのいくつかが、液化されたものである、若しくは氷になる、ことができるように、又は、Ｏ２と同様のガスが、発明におけるさらなる使用のために徹底的に分別するものであるように、十分な冷却するエネルギーいくつかの場合にゲインへ（示されたものではない）自身の冷却する配置と前方に接続されたものである及び／又は後に接続されたものであることができる。前記の冷却する配置は、また、さらなる効果のための現実の発明からの冷却する生産のために組み合わせられたものであることができる。
【００２２】
スチームリフォーミング工程において、それは、ノズル１０５から分裂のセル１１０の中へとチャネルを介して高い圧力に注入されたものであるところの水／蒸気（及び分裂させることのための他の可能性のある加えられた好ましい材料）と同時におけるものであることになる、（冷却された又は液化された）炭化水素は、それに載せられたチンメル（Ｚｉｍｍｅｒ）リングを有するところのニードルのノズルを備えた（原則として反対のシャフトの末端からの注入ノズル１０５から）注入ノズル１０６でスタートするところのラインにおいて高い圧力で同時に補給されたものであることになると共に、シャフト１２２の中央におけるチャネルについて調節されたものであることになるが、そこでは、炭化水素は、シャフトのチャネルの中へ、適合させられた量及び圧力で注入されたものであるが、そこでは、炭化水素は、一次的な熱交換器１０９における炭化水素分配器１１５に至るところの多重のシンクチャネルの中へ分岐させられたものであるが、そこでは、適合させられた量は、電極１１１より下の分裂のセル１１０における（より少ない分裂のエネルギーのための他の材料と混合させられたものであることができるところの）水／蒸気へ加えられたものであるが、そこでは、適合させられた量における水／蒸気及び炭化水素は、それらの間において上へ上昇するが、そこでは、電極の間における適合させられたボルト数／アンペア数は、十分なボルト数／アンペア数で必要な加熱すること及び（リサイクルされたものであるところのもの）並びにイオン化することの両方を与えることになる。補給された炭化水素のいくつかは、さらに温度を増加させることになるところの、酸素電極からの酸素で酸化することになる。電極１１１の上における／それの中における正当な触媒体で、セル１１０、セル１１０からのチャネル１１３，１１７，１１８ａ−ｂ，１２３，１３１は、そこでは触媒体が、現用の圧力及び温度について調節されたものであるが、そのとき、末端における分裂させられた媒体は、セル１１０からの前記のアウトレットチャネルにおける終了させられた水の変化の反応の後でＨ２及びＣＯ２へと変換されたものであることになるが、そこでは、温度は、熱交換器１０８，１０９で調節されたものであるが、そこでは、それらの一つは、また、セル１１０から前記のアウトレットチャネルを囲むと共にそれらを冷却することができるが、そこでは、いくらかの流れは、セル１１０に逆戻りに凝縮体であることができる。Ｈ２の大部分は、分裂のセル１１０からチャネル１１３において外に分離されたものであるが、そこでは、チャネルは、熱交換器１０９，１０８を通じて沿って導かれたものであると共に、ノズルのサークルの周辺（又は現用のノズルのサークルにおけるノズルの数としてセル１１０からの等しい数のチャネル）においてノズル１１４ｃまで分岐することができるであろう。同じ代替物は、加圧された及び／又は液化された累積するもの１１６までさらに拡散体の螺旋形のもの１０７ｅへのＣＯ２／酸素チャネル１１８ａからの他のガスのためのものである。セル１１０から、他の生産されたガスは、水素炭素の残留物、いくらかの水／蒸気、及びＨ２の小さい残留物は、ＣＯ２チャネル１１８ａ−ｂ（より早い酸素チャネル）までの軸方向に対応するＣＯ／ＣＯ２チャネル１１７（より早い対応するものである酸素チャネル）までセル１１０の両方の側に導かれたものであるが、そこでは、混合物における残留物は、触媒作用が及ぼされたものである／より多いＨ２及びＣＯ２へ変換されたものであるが、そこでは、二次的な熱交換器１０９を通じてチャネルに沿った両方の側からのＨ２は、ノズル１１４ｂ、拡散体の螺旋形のもの１０７、及び、加圧された及び／又は液化された累積するもの１２１へＨ２を導くところの自身の共通のチャネル１２０の中へ上昇する。ＣＯ２及び可能性のある他のスピン−オフの生産物は、熱交換器におけるチャネルを通じた両方の側からＣＯ２のチャネル１１８ａの上部における側部のチャネルから、加圧された及び／又は液化された累積するもの１１９まで拡散体の螺旋形のものに１０７ｃ沿ってノズル１１４ａへＣＯ２を導くところの共通のＣＯ２−チャネルまで、同時に導かれたものである。電解質／水／蒸気と比べてより高い密度を備えた流体又は材料は、周辺のそばで調節可能な密度の差を調整する弁１２５を通じて、後に続くノズル１１４ｄへ、取り除かれたものであるが、そこでは、材料は、拡散体の螺旋形のもの１０７ｂの中へ及び累積するもの１２４へ投げつけられたものである／圧せられたものである。
【００２３】
そこにあるものは、所属する拡散体の螺旋形のもの１０７ｂ及びディスクの構造を備えたスラグノズル１１４ｄを除いて、一緒に接続された各々の材料についての共通のインレットチャネル１０５及びアウトレットチャネル１１３，１１８ｃ，１２０を備えた同じシャフトにより多いディスクの構造及び／又は電極であることができる、又は、沈降物の材料は、周辺に沿ったより内側の壁が、一つの又はより多い短くされた錐体に類似するとき、共通の、又はより少ないアウトレットのノズル、において収集されたものであることができるが、そこでは、ノズルの行は、周辺に沿って置かれたものであるが、そこでは、錐体は、最も大きいものである直径を形成する。真空ポンプは、スラグタンク１２４に載せられたものである又は補給チャネルを備えた真空のハウスに直接的な接続されたものであることができる（それは、また、ちょうど一つのディスクの構造と共にされたものであることができる）。電極へのパワー／電圧は、直列又は並列に双極性の接続されたものであることができる。
【００２４】
デバイスにおける単一の構成部品の詳述された記載
分裂のセル１１０及びチャネル１１３，１１７，１１８−ｂ，１２３における壁は、覆われたものである又は炭化水素の物質からより多い水素を引き出すと共に類似して二酸化炭素へ一酸化炭素を変換する／それに触媒作用を及ぼすための炭化水素の残留物で働くところの（ニッケル、銅、亜鉛、ジルコニウム、白金、ロジウム等であることができるであろうところの）触媒体の行で構成されたものであることができるであろう。チャネルのエリア及び壁は、後に続くもの：セル１１０のより内側の壁、二次的な熱交換器１０８を通過させるための水素チャネル１１３、酸素チャネル１１７，１１８ａ−ｂ（可能性のある二酸化炭素チャネル）、二次的な熱交換器１０８を通過させるための専用の水素チャネル１２０、沈降物チャネル１２３，１３１のようなものである。電極は、また、特に有効なものであると共に電圧について適合させられたものであるところの触媒体と共に触媒性のものであることができるが、そこでは、分裂させられた媒体は、イオン化させられたものであることになると共に、電極の上／中における触媒体は、例えば、ニッケル若しくはジルコニウム、若しくはそれらの組み合わせ、又は他の触媒体、であることができる。触媒体は、また、高い温度及び圧力へ適合させられたものであることができる。
【００２５】
換気の配置１２７，１２８，１２９，１３０
調整するポンプのノズル１０５からの心棒１２２におけるチャネルにおいて分裂させられた媒体における空気又はガスによって、そこでは、空気が、入ることができるが、及び、シンクチャネルから、ガスは、周辺から分裂させられた媒体のチャネルにおいて生じることがあるが、そこでは、ガスポケットチャンバー１２７におけるシャフト１２２の中央においてガスポケットチャンバー１２７の中へと分岐するところの、空気／ガスのチャネル１２８は、接続されたものであるが、そこにあるものは、ガス／空気が、調整するポンプの弁１０６のためのチンメルリングのより内側の側面に至るところのガスポケットチャンバー１２７の中にあるものであるときチャネル１３０へ開くところの浮遊物のボール１２９（又は別の適合させられた弁）であるが、そこではそれは、生産の間における低い圧力であると共に、そこでは、冷却された液化されたガスは、ノズルから注入されたものであると共に、従って、それらが（炭化水素のガスが、十分に冷却されたものであると共に十分な量であるとき）また液体になるところのチャネル１３０からガス／空気に沿ってのろのろ進むことになると共に、分裂のセル１１０まで下にそれと共に至るが、そこでは、電極１１１の後のガスは、それのアウトレットチャネルの中へ分離させられたものであることになる。
【００２６】
ノズル１１４ａ−ｂ−ｃでの圧力の調整
ノズル１１４ａ−ｂ−ｃは、連続的にガスの生産の量に基づいた一定のガスの量及び圧力に適合させられたものであることができると共に、ガスにおける圧力は、分裂させられた媒体の表面が、電極１１１の各々のより外側の側面における対応するものである酸素／ＣＯ２チャネル１１７に保持されたものであるとき、好ましいものである。又は、ノズルは、ガスの量について自動の調節可能なものであることができるが、しかし、前記の好ましい圧力における開口部のみである。ノズル１１４ａ−ｂ−ｃにおける圧力は、調整するノズル１０５，１０６を介してチャネル及びシャフト１２２における流体における圧力及びセル１１０における流体の表面での周辺の速度、並びに、各々のチャネルについての流体及びガスの間における密度の差及び相対的なガス−ピラーの圧力（シャフトに対するノズルからの高い密度を備えた冷たいガス−ピラーにおける高さマイナスセル又は酸素−／ＣＯ２−チャネル１１８ａからのシャフトに対するより低い密度を備えたより温かいガスピラーにおける高さ）、によって確立されたものである。
【００２７】
一次的な熱交換器１０９及び二次的な熱交換器１０８
二次的な熱交換器１０８及び一次的な熱交換器１０９の実行の形態は、より外側の側面において、類似のものであると共にシャフト１２２に対して並びにそれにおける断面において及びバランスにおいて同じ半径を備えたサークルに一緒に置かれたパイプのように見えることができるが、そこでは、一次的な熱交換器１０９は、二次的な熱交換器１０８のちょうど外側におけるリングに横たわると共に、それらは、各々他方に対して留められたものである／つなぎ留められたものであると共に、また一緒に回転するユニットにおける構造を結び付けるものの部分であることができるが、そこでは、それは、二次的な熱交換器１０８におけるサークルのより内側の側面及びシャフト１２２に留められたものである／つなぎ留められたものであるところの中空のスポーク又は大質量のディスクのいずれかであるが、そこでは、シャフトからの補給チャネルは、内側又は外側であることができる。又は、二次的な熱交換器１０８は、接線方向の断面においてより卵形のもの又は矩形のものであることができると共に、そこでは、上部（サークルのより内側の側面）は、直接的に心棒に留められたものであることができるであろう。ガスチャネル１１３，１１８ｃ，１２０は、好ましい点における二次的な熱交換器１０８の上部によって側部において取り出されたものであることができるが、そこでは、ガスは、ノズル１１４ａ−ｂ−ｃに沿ってまで導かれたものである。
【００２８】
二次的な熱交換器１０８において、圧力を調整するノズル１０５からの分裂させられた媒体（水／電解質）を備えたシャフト１２２におけるチャネルからのシンクチャネルは、シャフトに最も近い好ましい分布と共に中に導かれたものであると共に、分裂させられた媒体についてのアウトレットは、底部（二次的な熱交換器１０８の周辺）にあるものであると共にＨ２チャネルを囲むことができるが、そこでは、分裂させられた媒体は、外方へ及び一次的な熱交換器１０９の上部の中へ導かれたものであるが、そこでは、分裂させられた媒体は、（周辺に向かって外に）下に押されたものであると共に、同じものは、より一様な熱を交換することを獲得するためにセル壁１１０の各々のより外側の側面に提供されるものである。分裂させられた媒体が、熱交換器１０８，１０９における周辺まで外に移行するとき、分裂させられた媒体における接線の加速における慣性のモーメントは、二次的な熱交換器１０９におけるパイプの螺旋形のものであるできるところのチャネルにおいて、接線の反対の方向における高いスピードと共にそれ自体を移動するところのガスに対して、及び、より冷たい分裂させられた媒体へ温かいガスから効率的な熱を交換するものを伴うところの、セル１１０における壁に対して、好ましい熱を交換するものを伴うところの、熱交換器のサークル１０８，１０９における接線のスピードを相対的に高いものにする。電極１１１の間におけるセル１１０におけるものとして、回転するデバイスにおいて周辺の他の所まで及びそれから移動するものである材料の同じ接線の移動は、起こることになるが、そこでは、分裂させられた媒体／ガスは、シャフトに向かった高い浮力の速度を有すると共に、後に続くものは、電極のサークル１１１における相対的な高い接線のスピードを獲得することになると共に、分裂することなしに電極を通過するところの分裂させられた媒体は、それらのより外側の側面における電極の上で流動することになるが、そこでは、分裂させられた媒体は、周辺まで外方へ移動すると共に、それによって電極１１１の間における媒体の接線の反対の方向において、これらの移動は、電極１１１が、小さいもの、及びセル１１０が、少量のもの、しかし、まだスピード及び生産を通じた高い流動を備えたもの、であることができることを意味するところの、分裂の及び熱を交換するものである工程について非常に好ましいものである。
【００２９】
残留する生産ガス（他のガスからのＯ２、Ｈ２が、チャネル、ＣＯ、ＣＯ２等を上げる）からのチャネルは、一様に分布させられた好ましい点における二次的な熱交換器１０８の底部の中へ導かれたものであると共に、全てのガスチャネルは、各々のガスの構成成分について分裂させられた多重のパイプにあるものであることができるところの二次的な熱交換器１０８において存続すると共に、パイプは、二次的な熱交換器１０８に沿って配置されたものであると共に、二次的な熱交換器１０８の上部に向かった螺旋における回転の方向における後方に曲げられたものであるが、そのとき、周辺のスピードを残すことを試行することになるところのガスは、それらが、回転のデバイス（ノズル）を去るとき、より小さい遠心分離の力の圧力の喪失をなすところの、シャフトに向かってパイプに沿ってより接線方向に押されたものであることになる。
【００３０】
酸素−／ＣＯ２−チャネル１１８ａ−ｂ
酸素／ＣＯ２−チャネル１１８ａ−ｂにおける（描かれたものではない）実行の形態は、それらが、一次的な熱交換器１０９を囲むことと同様のものであることができるが、そこでは、酸素／ＣＯ２−チャネル１１８ａ−ｂにおける媒体は、一次的な熱交換器１０９におけるより外側の壁との直接的な接触におけるものである。酸素／ＣＯ２−チャネル１１８ａ−ｂにおけるより外側の壁は、二次的な熱交換器１０８のより外側の側面（周辺）へ上部（最も近いシャフト）において付けられたものであると共に、一次的な熱交換器１０９は、底部で一緒に付けられたものであることができるが、そこでは、それらは、また最も近いものであることができると共に、また各々の側面から酸素チャネル１１８ｂの底部で、今本当に短いものになるところのシンクチャネル１２３の中へ進むと共に一次的な熱交換器を通じた穴を備えた行のより同様のものであるが、そこでは、周辺に沿った同じ所における酸素／ＣＯ２−チャネル１１８における各々の穴において載せられたものは、後に続くものであるノズル１１４ｄを備えた密度を調整する弁１２５である。セルの両方の側面からのスラグアウトレットチャネル１３１は、シャフトまで同じ距離を備えた酸素／ＣＯ２−チャネル１１８ｂのサークルに沿ったチャネルの行として図に示されたもののように出てくるが、同じものは、対応するものである酸素チャネル１１７について関係させられたものであると共に、それらの出口から及び上へ、あるものは、今、酸素／ＣＯ２−チャネル１１８ａであると共に、両方の側面からの酸素／ＣＯ２についてのアウトレットチャネルは、熱交換器１０９，１０８の間における水素チャネル１１３と同じ行における上部におけるチャネルの中に入れるために最も好ましいであるが、そこでは、パイプの行は、一次的な熱交換器１０９のより外側の側面の壁の上部から二次的な熱交換器１０８の中へ進んだが、そこでは、酸素／ＣＯ２は、導かれたものである。酸素／ＣＯ２−チャネル１１８ａのより外側の壁の上部から、そこにあるものは、二次的な熱交換器１０８に沿って中へ導かれたものであるところのＨ２についてのアウトレットチャネルの行である。それは、二次的な熱交換器１０８の周辺での各々のガスについて等しい量のチャネルの達成であることができる。酸素／ＣＯ２−チャネルが、一次的な熱交換器１０９を囲むとき、それは、同時の、全体的に又はバランスにおける部分で適合させられたものであることができるところの浮力を作り出すことになる。Ｏ２／ＣＯ２−チャネル及び一次的な交換器１０９の間における並びにそれ及びセル１１０の間における壁は、それが、壁の各々の側面における約同じ圧力であるとき、また相対的な薄いものであることができる。これは、また、熱を交換することを改善することになる。これの場合には、それは、高い圧力及び遠心分離の力に対して構築されたものであるための最も大質量のものになるところの酸素／ＣＯ２−チャネル１１８ａ，１１８ｂにおけるより外側の壁であることになる。
【００３１】
ノズル１１４ａ−ｂ−ｃ−ｄ
たとえばスラグノズル１１４ｄのような、周辺から貫き通されたものではないものであるところのあらゆるノズルのサークルは、シャフトの間の領域に半径及びスラグノズル１１４ｄについてのものと同じ半径までを有することができる。ノズル１１４ａ−ｂ−ｃにおける実行の形態は、各々のガスのための拡散体の螺旋形のものにおけるより内側の壁に対する接続されたサークルにおける区分における古典的な収束性の円形物又は正方形であることができる。又は、ノズルは、膨張ノズル（“ラバル（Laval）”ノズル）と同様のものであることができると共に、いずれかノズルタイプのものを選んだが、それらは、一緒に回転するものであるユニットにおける構造を結び付ける及び／又はシャフト１２２へ方向付けるために二次的な熱交換器１０８及び一次的な熱交換器１０９の側面にフィットさせられたものであることができるが、そこでは、例えば、各々のガスのためのラバルノズルは、シャフトのまわりの接続されたサークル／ディスクに置かれたものであるが、そこでは、ノズルのパイプは、回転の方向において後方に曲げられたものであると共に、接続されたノズルパイプの周辺は、サークルを作り出すが、そこでは、シャフトからの距離は、同一のものであると共に、ノズルパイプの周辺におけるより外側の壁は、シャフトの同じ断面におけるものであると共に、そのとき、各々のアウトレットの区分は、長方形のものであることになる。ノズルのサークル／ディスクの直径は、アウトレットの速度及び現実のガスの量及びそれのノズルの行に対する周辺の速度に比例する調節されたものである必要がある。軽いガスにおいて、吹き出すものである速度は、拡散体の中へのガスにおける合成の速度が、相対的な高いものであることになるというように、周辺の速度と比べて何倍もより速いものであることになる。最も少ないときでノズルのサークル１１４ａ−ｂ−ｃの上におけるものは、回転の方向において押し通すために配置されたものである。材料の廃棄物のノズル１１４ｄは、回転するデバイスの周辺に置かれた好ましい正方形のノズルの、収束するものであるノズルの行であることができるであろうと共に、それは、周辺から拡散体の螺旋形のもの１０７ｂの外にまで径の方向のものを回すことができる。
【００３２】
拡散体の螺旋形のもの１０７ｂ−ｃ−ｄ−ｅ
回転するものではないところの、及び、それらが、回転するものであるユニットまわりに配置されたものであるところの、真空ハウス１０１においてつなぎ留められたものであるところの、拡散体の螺旋形のもの１０７ｂ−ｃ−ｄ−ｅにおける実行の形態は、そこでは、各々のガスについてのノズルの壁のより外側の側面が、少量のクリアランスと共に各々のガス拡散体の螺旋形のものまで拡散体の壁のより内側の側面に対して配置されたものであると共に、それらは、遠心分離の圧縮機に対する拡散体の螺旋形のもののように見える。ガスの生産の間にあるものは、真空保護ハウス１０１内における真空／低い圧力を維持するところの各々のノズルの行（サークル）の間に形成された低い圧力である。拡散体の螺旋形のものの目的は、静的な圧力へガスの動的な圧力（運動圧力）を転換することである。拡散体の螺旋形のもの１０７ｂからスラグノズル１１４ｄまで、拡散体の螺旋形のものは、同一のものであることになるが、そこでは、螺旋形のものは、回転デバイスの回転の方向を備えたセクションのエリアにおいて増加する。拡散体の中へのガスにおける合成の方向が、回転デバイスと同じ方向を有するという方式で、ノズルが、調節されたものであるとすれば、拡散体の螺旋形のもの１０７ｃ−ｄ−ｅは、また、他のガスについて、これをすることができると共に、ガスが、反対の方向を有するとすれば、拡散体の内側の螺旋形のものは、反対の方式で作られたものである必要がある。拡散体は、拡散体の半径に依存するものであるところの、ステーターブレード有りの又はそれ無しのものであることができる。及び、ステーターブレード有りで、それらは、ガス／粒子のトラックに対しておおよそ平行なものである必要がある。
【００３３】
液体又は固体の形態（氷）におけるガス
液体又は固体の形態（氷）におけるガスは、回転するデバイスにおけるガスが、正当な調節された温度及び十分な圧力を有するとき、達成されたものであるが、そこでは、それらは、ほとんど、液体又はガスの形態にあるものであることができると共に、回転の方向における押し通しを達成するための調節された角度においてノズルを調節することによって、押し通し及び膨張によってガスにおける失われたエネルギーは、圧力及び温度の両方が、拡散体の螺旋形のものに留まることになることを伴う。正確な調節によって、ガスについての臨界的な圧力及び温度の考慮において、それらは、液体若しくは固体の形態（氷）、又はこれの混合物、になるものを備えたものであるできる。拡散体の螺旋形のものの末端には、それは、モジュールチャンバーの中へより高い圧力に沿ってまでガスの氷／スラッシュ／液体をねじる／それを押す及びそれをポンプで汲み上げることの両方であるところの組み合わせられたポンプデバイスが配置されたものであることができるが、そこでは、ガスは、注入ポンプ１０６までの行程で炭化水素からのもの、又は、周囲のものからの空気／水、であることができるところの、間接的に加熱することによって蒸発の順序において一様なクリーナーガスへ分離されたものであることができるが、そこでは、ガスの形態における炭化水素は、生産された液体−氷−ガスと間接的に熱を交換することによって液体になることができる。モジュールのガスの蒸発のチャンバーは、先行するガスが、徹底的に分離する／蒸発するものになる必要があるとき、再度上までポンプで汲み上げられたものである。チャンバーの数及びサイズは、連続的な生産について調節されたものである必要がある。これの方式では、熱を交換することの後に回転するデバイスからのガスは、また、鉛直の静的なサイクロンに沿ってまで材料を導くところの共通の拡散体の螺旋形のものの徹底的にまで集められたものが導かれたものであることができるが、そこでは、固体又は液体の材料は、媒体が、沿って押し出されたものであると共にガスが、前記のような蒸発チャンバーによって分離されたものである際に、底部まで回転する。及び、前記のサイクロンの上部から、冷たいＨ２は、累積するものであるための自身のチャネルに沿ってまで圧縮されたものである又はさらに冷却されたものである及び液体のガスまでの膨張であることができるであろうところの高い／低い圧力によって抽出されたものである。ＣＯ２と同様の副生産物のガスは、液化されたものを堆積させるものに対して直接的な徹底的にねじられたものである／ポンプで汲み上げられたものであることができるであろう、又は、それは、堆積させることのために周囲のものから加熱することが許容されたものであることができる。回転するデバイスにおいてガスにおける好ましい温度を達成するために、そうすると、それらは、拡散体の螺旋形のものの後に液化されたもの又は氷になることができるが、それは、ノズル１０５を介して冷却する媒体の量／分裂させられた媒体を増加させることが可能性のあるものであるが、そこでは、チャネルは、内側のサークルにおけるそれへ配置された及び付けられた並びにゲッターへ構造を結び付けるためにシャフトへ留められた二次的な熱交換器１０８とよく似た第三の熱交換器に至ると共に、二次的な熱交換器１０８についてのものであったと同じインレット／アウトレットのチャネルで、二次的な熱交換器の周辺のような周辺における各々のガスチャネルは、ガスの実行の全てが分裂のセルからの水素チャネル１１３のようなものとよく似たものであることのみが、すなわち、ガスチャネルの全てが、第三の熱交換器の内側で分裂させられた媒体のチャネル／水のチャネルのもので囲まれたものであることが、ガスのパイプは、二次的な熱交換器１０８と同一なものに配置されたものであると共にシャフトへ留められたものであることができるであろうと共に、残留する接続は、一緒に回転の構造を結び付けるために、上述したもののような二次的な熱交換器と同様のものであることができるであろう。ガスのパイプ／チャネルは、側面において取り出されたものである又は第三の熱交換器の側面の間で分割されたものであることができるであろう。セルにおける分裂することに対する調節された分裂させられた媒体は、二次的な熱交換器１０８までのチャネルにおいて及びさらに上述したもののようなものにおいて補給されたものである。今加熱されたものであるところの余計な分裂させられた媒体は、例えば、（上述したものの）スリップチャンバーまでのチャネルを通じて、シャフトの末端まで、又は、圧力を増加させるところの、シャフトにおける径の方向のタービンを介して、及び、加熱することの使用まで及び／又はそれらの蒸発のために浮かぶものであるガス及び水が、注入ノズル１０５を介して再度回転するデバイスの中へ押されたものである前に、回転のデバイスにおける消費のために調節された量における補給された水に沿って引くところの注入器を通過するものである水まで外に沿って、導かれたものである。
【００３４】
第三の熱交換器に対する追加において、又はそれの外にと共に、できるものは、（前記のもののような水の媒体を備えた）熱を交換する後に、チャネルにおけるガスであるが、そこでは、リストでの、ガスの一つは、別の他の熱交換器に至るが、そこでは、ノズル１０６からの冷却された／液体のガス／炭化水素は、熱交換器の底部（周辺）の中へチャネルにおいて至るが、そこでは、それは、二次的な熱交換器１０８と類似のものであるできる。加熱された炭化水素は、上部からのチャネルの行において及びさらに炭化水素の分配器１１５まで取り出されたものであることができる。ガスのチャネルは、また、炭化水素までのアウトレット及び類似の底部におけるアウトレットの間における熱交換器の上部の中へ導かされたものであることができると共に、ガスは、さらに、各々のノズル及び拡散体に至るが、そこでは、ガスは、フェーズオーバーすると共に前記のようにさらに分離する。前記の液体の炭化水素を使用することの代わりに、又は、それと共にかき集めることに対して、できるものは、プロセスからのより冷却されたガスは、前記の炭化水素及び不活性なガスと同じ方式でセルからの生産ガスを冷却することである。
【００３５】
それは、また、回転のデバイスにおいて後方に曲げられたものであることができるところの径の方向のプレートを備えた（クーリングサークルチャンバーの外側に付けられたものであることができるところのノズルサークル及び炭化水素チャネルを除いて）全体のディスクの構造を囲む及びそれに付けられたものであるところのクーリングサークルチャンバーの中へ周辺に向かってそれの中で又はそれの外側でのいずれかでシャフトの末端から分岐するところの（描かれたものではない）エアークーリングチャネルであることができるが、そこでは、それは、前記の熱交換器の間における及びシャフトに向かった補給チャネルであると共に、加熱されたものであるところの空気は、それに向かって上に上昇すると共に、反対の側面におけるシャフトの末端の中へ外に沿って導かれたものである又はシャフトの外側のチャネルの中に可能性のあるものであることができると共に、そして、それは、シャフトに対するベアリングを備えたベアリングハウスへ真空ハウスを付けるところのステーターブレードであることができると共に、エアークーリングチャネルのインレットチャネルにおいて、そこにあるものは、付けられたパイプであると共に、回転するものではないと共に心棒を囲むところの真空ハウスに対してシールされたものである。回転するデバイスにおけるエアークーリングチャネルは、少量のクリアランスと共に、真空ハウスへ攻撃させられたものであるところのインレットのパイプに部分的に重なる／それを囲むことを開始するが、そして、高いインレットのスピードで、それは、パイプの間における低い圧力であることになるが、これは、また、真空ハウス１０１の内側の低い圧力を作ると共に、エアークーリングチャネルのアウトレットで、パイプのチャネルは、真空ハウスの中へ低い圧力を達成するために反対に囲まれたものである。それは、また、調節された量で、エアークーリングチャネルのインレットのチャネルの中へ水−霧が、加えられたものであることができるが、そうすると、水は、蒸発すると共にエアークーリングサークルのチャンバー及びデバイスの内側でさらに冷える。クーリングチャネルのイン及びアウトレットのエリアは、与えられた量のクーリングエアーのために適合させられたものであることができる。それは、また、そしてそれらの場合における熱サークルチャンバーになるところの周辺でのエアークーリングサークルチャンバーまでのインレットに燃えるチャンバーを配置することが可能性のあるものであるが、そこでは、それは、セルにおける熱のために必要とされたものである。空気チャネルから加熱された空気が、中におけるものと比べてより高い圧力を有することができるとき、そうすると、できることは、空気が、それがタービンを通じて通過することを許容することによって仕事を実行することである。これは、デバイスの回転、又は他の仕事、を実行することができる。クーリングエアーは、また、インレットの前に、タービンにおけるより高い効果のために圧縮機を介して通過することができる。
【００３６】
シャフトの末端における調整ノズル１０５，１０６。
【００３７】
シャフトの末端における調整ノズル１０５，１０６に対する実行の形態及びデバイスは、それらが、さらに回転のデバイスにおける調節された圧力によって与えられたガス生産量まで加えられた加圧された分裂させられた媒体を届けるために調節されるためのものであるというものである。（ニードル・ノズルに付けられたものであるところの）チンメル・リング及びノズルの点の間における領域において、調節された及び好ましい点の中へニードル・ノズルを引くところの、低い圧力は、作り出されたものであることができると共に、ニードル・ノズルは、ノズルハウジング１０５，１０６における調節を備えた調節されたスプリングの援助によって、圧力に対するバランスにおけるものである。圧力が、デバイスにおいて高いものまで築き上げられたものであるとすれば、ノズル及びチンメル・リングは、後方に圧せられたものであると共に同時の部分的に又は絶対的なノズルを通じた媒体を閉じることになると共に、圧力が、生産の下でデバイスにおいて低下する際に、圧力は、チンメル・リング及びノズルの点１０５，１０６の内で低下させられたものであることになると共に、それは、徐々に好ましい位置へ後方に届くことになると共に再度注入を増加させる。これの方法は、ノズルが、接触にはないものであるとき、最小限の回転の抵抗及び水及び風袋を与えるが、しかし、特に、分裂のセルへの分裂させられた材料の自動的な機械的な調節である。
【００３８】
分裂のセル１１０
分裂のセル１０９における実行の形態は、一次的な熱交換器１１０のサークルに沿って進むと共にそれに中心が置かれたものであると共に、それらは、各々の上部の各々の側面に、プレートがそれへ配置されたものであるところの、（一次的な熱交換器１０９におけるサークルに沿って）またパイプと同様のものであるところの炭化水素の分配器１１５に対して横たわるところの（スラグチャネル１３１の底部における）沿って進むものである片持ちにされたプレート底部で相互に対して付けられたものであると共に、そこにあるものは、配置の間における穴／チャネルの行である。それは、また、一次的な熱交換器の壁１０９の内側における斜めのプレートにおける穴の行であるが、そうすると、分裂させられた媒体は、炭化水素の分配器１１５のまわりの領域へ通過すると共に、斜めのプレート及び炭化水素の分配器１１５の間における穴を通じた分裂のセルの中へさらに押されたものであることができる。炭化水素の分配器は、また、それが、また炭化水素の分配器１１５が斜めのプレートの反対の側面において付けられたものであるところの各々の自身の斜めのプレートの上部に対して周辺において各々配置されたものであるところの、二つの平行なリングが形成されたプレートとして中央におけるものであるところの電極１１１の間における分裂のセル１１０まで穴を通じてそれの中で、及びそれと一緒に、上へ浮かぶことになるところの分裂させられた媒体に対して適当な圧力における正当な量の炭化水素を外に導くために調節されたものであるところの周辺（境界）に沿って穴の行が備え付けられたものである。回転するデバイスが、電気的な導電性のものであるとき、電極の一つは、構造及び一つの心棒の末端１１２ｂとの接触におけるものであることができるが、そこでは、負の電圧は、接続されたものであると共に、他方の電極は、構造の間における電気的な絶縁されたもの、しかし、他方のシャフトの末端における絶縁されたスリップ・リングに対する絶縁された電気的な導体との接触におけるもの、であるが、そこでは、正の電圧は、接続されたもの１１２ａである。電気的な導電性の構造の無いものの場合において、電極の両方は、接点１１２ｂに対して他方の電極によく似たものであることになるところの、１１２ａからのラインと同様の電気的な絶縁された導体と共に電流が加えられたものである必要がある。
【００３９】
（それらの周辺における）電極１１１及び電極が付けられたものであるところの斜めのプレートの間において、それは、セルにおける循環を改善するための及び構造の残りまでにわたって電極からの熱の伝達を低減するための短い軸のチャネルの行である。電極は、有利なことにおいて、熱を交換することを改善すること、熱膨張によってより良好なものに形状を保つこと、の両方で、しかしまた、電極が同時に触媒作用的なものであるとき、電気分解及び触媒作用を及ぼすことによってより大きい接触の表面について、好ましいものであるところの、穿孔されたものである又は多孔性のものであることができるであろう。電極は、高度に熱抵抗性のもの、腐食抵抗性のもの、低い温度の膨張係数の、純粋なものにおける、金属、合金、複合体、セラミック、又はナノ技術の材料であるところの電気的な導体の材料で作られたものであることができる。
【００４０】
分裂のセル１１０が、それを取り巻くところの分裂させられた材料における浮力を作り出すことになるとき、それは、構造におけるひずみを減少させるために、生産の温度で完全に又は部分的に浮力のバランスにあるものであるために構築されたものであることができる。同時に、セルの壁は、相対的な薄いものであると共に、同時にセルから壁を通じて一次的な熱交換器１０９まで熱の放射及びセルまでそれの行程で壁の他方の側面における分裂させられた材料を送ることになるところの電気的な導体のものではないものであるところの材料によるものであることができるであろう。
【００４１】
炭化水素の分配器１１５は、好ましい体積において整形されたものであることができるであろうが、そうすると、それの浮力は、一次的な熱交換器１０９の内側の構造を支持するものである／それを強くするものの部分であると共に、電極のディスク１１１の温度の膨張で、及び、それは、十分な柔軟性であると共にそれらのつなぎ留められたエリアを強くすると共に、同じ時間に電極１１１が、中央に置かれたものであると共に全ての時間でバランスにおけるものであることである。炭化水素の分配器１１５における圧力は、水及び他の材料が、それの中へ押し込まれたものではないものであるというように、それの外側の圧力と比べてより大きいである必要があるが、しかしまた、セルを補給する必要がある。しかし、水素炭素分配器１１５における穴は、前記の問題を予防するための後方の弁を有することができると共に、そして、それにおける穴の行は、いずれのところにも置かれたものであることができるであろうが、しかし、穴は、それらの間における一様な流動を獲得するためにシャフトから同じ距離におけるものである必要がある。
【００４２】
分裂の後のガスの本当に高い圧力及び十分な冷却で、それらは、最初に重いガス、実例のためには、高い圧力及び低い温度の下で、それが、それの場合にＣＯ２−チャネル１１８ａ−ｂにおいて、密度を調整する弁１２５の中へ周辺まで外に及び螺旋形の拡散体１０７ｂまでノズル１１４ｄを通じて外に沿って沈むことができるところの、ＣＯ２、に対して起こるところの、回転するユニットにおいて液化されたものであることができると共に、累積されたもの１２５は、まだ液化されたものであると共に加圧されたものである。従って、それは、ＣＯ２−チャネル１１８ａ−ｂにおける両方の好ましい触媒作用を及ぼすものに対して十分に高いものに温度を保つこと、及び、ＣＯ２が、上述したものように外に導かれたものであるということが、より好ましいものであることができるであろう。しかし、セルにおける全てのガスの生産を調節することによって、酸素チャネル１１８ａ−ｂは、外部にサークルにおける他のものによく似たものの、一次的な熱交換器の各々の側面の自身の熱交換器によって囲まれたものであることができるであろうが、しかし、内部に、それは、パイプであるが、そこでは、分裂のセル１１０における水のミラーより上に来るために各々の側面で上昇させられたものであるところの対応するものである酸素／ＣＯ２−チャネルは、及び、熱交換器におけるチャネルにおける側面の上に中に来るが、そこでは、ノズル１０５からの分裂させられた媒体は、熱交換器に沿って底部（周辺）から底部で多重のチャネルから入ると共に、従って、それの上部から二次的な熱交換器１０８の上部までチャネルに導かれたものである。同時に、酸素−／ＣＯ２−チャネルからのチャネルは、（上述したもの、冷却された）炭化水素のチャネルを囲むところのチャネルまでそれの熱交換器の側面を通じて出るが、そこでは、囲まれたチャネルにおけるものは、上部及び底部における多重のアウトレットチャネルである。上部におけるアウトレットチャンネルは、水素チャネル１１３からの水素と同じノズルの行／サークルまで、又は、前記のような調節された注入器を介して水素チャネル１１３と共に、直接的に導かれたものであるところの、Ｈ２の残留物に沿って導くと共に、底部（周辺）におけるアウトレットチャネルは、ノズルに向かって直接的に導かれたものであるが、そこでは、冷却された副生産物のガス（ＣＯ２、ＣＯ、Ｏ２等）は、周辺まで外方に沈むものであるが、そこでは、それらは、高い回転で及び高い圧力の下で、前記のように外に導かれたものである。
【００４３】
水素チャネル１１３，１２０は、高い圧力でより低い圧力を備えたチャネル１２０から沿って調節された量の水素を吸うところのチャネル１１３から調節された注入器を介して徹底的に集められたことが導かれたものであると共に、必要な水／蒸気のミラーが、ＣＯ２−チャネル１１８ａにおける上に好ましい点に残留させられたものであるというように一定のままであることになるところのチャネルにおける圧力を適合させることができるであろう。これの場合には、それは、最も少ないときで二つのガスのアウトレットチャネルであることができる。
【００４４】
ガスのアウトレットチャネルに対するもののみで、（両方のガスが、ガスの相にあるものであるとき、）インレットチャネルは、シャフトを囲む及びそれのまわりにシールされたものであるところのスリップ・チャンバーを介して各々のシャフトの末端から中に導かれたものであることができるであろうが、そこでは、スリップ・チャンバーの内側のシャフトにおけるチャネルは、シャフトの中央の外側のインレットチャネルの中へ分岐する。心棒の末端の中央で、今は、チャネルへ付けられた各々の自身のニードル・ノズルが備え付けられたものであることになるが、そこでは、（より上に前記のように注入された）チャネル１１３＋１２０における水素は、シャフトの末端の一つに至ると共に、酸素／ＣＯ２のチャネルは、他方のシャフトの末端へ（生産の方法に依存するものである）酸素又はＣＯ２を導くが、そこでは、それは、調節されたパイプの拡散体に付けられたものであるところの、ノズル、及び、（上述したもの）明確な好ましい生産の圧力へ調節されたものであることができるところのノズル、の各々におけるチンメル・リングが囲まれたものであると共に、ガスは、拡散体の中へと高いスピードで各々のシャフトの末端におけるニードル・ノズルの徹底的に圧せられたものであることになるが、そこでは、スピードは、低減されたものであると共に、静的な圧力は、増加させられたものであると共に、ガスは、上述したようなものに沿って送られたものであることができる。
【００４５】
掛けられたベアリング１１２ａ−ｂ
回転するユニットのベアリングのサスペンションは、ローラー、ボールベアリング、流体／ガススライドベアリング、又は超電導体の電磁石を備えたものであることができるが、そこでは、それは、それが、真空ハウス及び磁石のまわりにシールされたものであるというように、シャフトの末端の各々における磁石の両方の側面におけるシャフトに対するシールである。磁石を冷却することは、生産されたガス又はすでに冷却されたガスのいくつかの膨張と共に許容されたものであることができるであろう。シャフトによる構築は、シャフトの末端の一つによって径の方向の及び軸の方向の支持体を有するために磁石のベアリングを許容すると共に、他方のものにおける径の方向のものであるのみであることができるが、これは、ベアリングの選抜の全てについて勘定に入れる。電極１１１に対する電圧は、（水素の生産に対するより少ない意味を有するところの）必要な電圧の交換を備えた超電導体の電磁石を通じて置かれたものであることができると共に、磁石は、それが、周辺及び前記のタービンでの拡散体の螺旋形のものまでのノズルの外におけるガスからの高い押す力であるとき電気的なエンジン又は回転を維持すること若しくは電気を生産することのいずれかのために働くものである発生器であるためにまた調節されたものであるところのものを備えたものであることができる。シャフトにおけるイン及びアウトレットチャネルのみで、超電導体の電磁石は、また、外におけるガスにおける回転のスピード及び圧力が、増加するというように、回転及び生産の間にデバイスに適用されたものであるところの力のいくつかの連続的な打ち消すものについての回転ディスクの構造の周辺に沿ってスラグノズル１１４ｄの各々の側面を支持することができるであろう。
【００４６】
図１に図解された発明の実行の形態が、多重のチャネルにおいて生産されたガスを分離する一方で、デバイスは、別個のチャネル、たとえば、水素の、酸素の、一酸化炭素の、及び二酸化炭素のチャネルへと分離された各々のガスの構成成分を許容するところのより多いチャネルが備え付けられたものであることができるであろうということと共に、ガスに対する各々の上昇チャネルの上部（最も近いシャフト）は、徹底的に微細な、酸素チャネル１１８ａ及びＨ２チャネル１２０から遷移によく似たもののＨ２の残留物を分離することができると共に、酸素（スチーム・リフォーミングによって、それは、より多い副生産物のガスである）は、酸素チャネル（ついには、ＣＯ２チャネル）１１８ｃにおいて徹底的に分離するが、そこでは、重いガスは、前記のものとよく似たものの、密度の後に沿って接続されたものであると共に、接続は、二次的な熱交換器１０８の前におけるものであるべきである。
【００４７】
回転のデバイスは、高いスピードの回転で作り出されたものであるところの力に抵抗するために本質的な強さを備えた材料で生産されたものである必要がある。構造は、有利なものにおいて、前記の力を低減するために低い密度を有することができるであろう。構造は、構造の残りから、又は、セラミックの材料、ナノ技術の材料、複合の材料、若しくはこれらのものの組み合わせから、絶縁された電極と共に、金属において整形されたものであることができる。遠心分離の力は、回転のスピード、及び、使用されたものであるところの材料について許容された力へ調節されたものであるところの、回転するユニットの直径のもので決定されたものである。
【００４８】
スチーム・リフォーミングによって、圧力及び温度は、使用されたものであるところの触媒体の最適な機能の限界を超えるもの／それより下のものではないものであるべきである。
【００４９】
回転のスピード及びディスクの構造に置かれた重量を低減するために、これまでに記載された回転するユニットは、インレットにおける分裂させられた流体の圧力を増加させることができるであろう。後に続くもののように、分裂のユニットは、ディスクの構造へ適用されたものであるところのより低い遠心分離の力を意味するところのより低い回転のスピードにおいて駆動されたものであることができるであろう。
【００５０】
電極が、結晶化によって崩壊させられたものであることを回避するために、電極の極性は、区間まで変化させられたものであることができるであろうと共に、それは、ガスのアウトレットチャネルについてデバイスにおいて交換させられたものであることが必要なものではないものである。
【００５１】
図は、発明の原理のみを図解するものである概略的な図面としてみられたものであるのでなければならないと共に、必ずしも発明の現実の世界の物理的な現実化を示すものではない。発明は、それの構成成分の多数の異なる材料及び配置を使用することで実現されたものであることがある。そのような現実化は、技芸において熟練したいずれの者の能力の内にあるものであるべきである。
［付記］
付記（１）：
電場において水素を生産するためのデバイスであって、
前記のデバイスは、回転すると共にシャフトへ留められたディスクと同様の配置を囲む真空の保護ハウスへ留められた密閉されたベアリングにおいて掛けられたものであるシャフトを含むと共に、
それは、ディスクと同様の構造の周辺に配置された一つの又はより多い分裂のセルの外におけるインレットチャネルにおける一つのシャフトの末端からの分裂させられた媒体を補給すると共に、
前記の分裂のセルは、電気が補給されたものである第一の及び第二の電極を含有する、デバイスにおいて、
それは、真空ハウスに対して留められた／つなぎ留められた拡散体の螺旋形のものであると共に、
セルからの生産されたガス及び材料の残留物は、ノズルにおけるより外側の壁及び拡散体におけるより内側の壁の間における少量のクリアランスと共に前記の拡散体の螺旋形のものの内側に配置されたものである、ノズルへの自身のチャネルにおいて分離すると共に、
デバイスは、ノズルから放出されたものである生産されたガスからのガスの圧力から回転するために配置されたものである
ことを特徴とする、デバイス。
付記（２）：
付記（１）に記載のデバイスにおいて、
デバイスは、分裂させられた媒体における炭化水素が補給されたものである
ことを特徴とする、デバイス。
付記（３）：
付記（１）又は（２）に記載のデバイスにおいて、
デバイスは、液体及び／又は固体の状態において水素、酸素、及び可能性のある二酸化炭素を生産するために配置されたものである
ことを特徴とする、デバイス。
付記（４）：
付記（３）に記載のデバイスにおいて、
生産されたガスは、共通のアウトレットチャネルにおいて放出されたものである
ことを特徴とする、デバイス。
付記（５）：
付記（３）又は（４）に記載のデバイスにおいて、
生産されたガスは、分別された蒸発によって微細に分離する
ことを特徴とする、デバイス。
付記（６）：
付記（１）に記載のデバイスにおいて、
一つの又はより多い自己調節するノズルは、前記のインレットチャネルに配置されたものである
ことを特徴とする、デバイス。
付記（７）：
付記（１）に記載のデバイスにおいて、
前記の電極の一つは、ディスクと同様の構造との一定の電気接点に配置されたものである
ことを特徴とする、デバイス。
付記（８）：
付記（１）に記載のデバイスにおいて、
インレットチャネルに配置されたものは、分裂のセルを密閉する一つの一次的な熱交換器によって後に続けられた一つの二次的な熱交換器であると共に、
一次的な熱交換器の間における区間の空間は、二次的な熱交換器から接続されたものであるチャネルが配置されたものであると共に、
分裂させられた媒体は、分裂のセルのより外側の側面の各々において周辺に向かってさらに圧すると共に、
分裂させられた媒体は、周辺における分裂のセルの中へ沿って及び電極の間にまで来る
ことを特徴とする、デバイス。
付記（９）：
付記（１）に記載のデバイスにおいて、
不活性なガスは、セルへ補給されたものである
ことを特徴とする、デバイス。
付記（１０）：
付記（１）に記載のデバイスにおいて、
余剰の回転の力は、エネルギー変換されたものであることができる
ことを特徴とする、デバイス。
付記（１１）：
付記（１）又は（４）に記載のデバイスにおいて、
拡散体の螺旋形のものは、サイクロンセパレーターへ接続されたものである
ことを特徴とする、デバイス。
付記（１２）：
付記（１）に記載のデバイスにおいて、
配置は、冷却する配置と前方に接続されたもの及び／又は後に接続されたものである
ことを特徴とする、デバイス。
付記（１３）：
付記（１）又は（１０）に記載のデバイスにおいて、
配置は、最も少ないときでタービンの上へ接続されたものである
ことを特徴とする、デバイス。
付記（１４）：
付記（１）又は（１３）に記載のデバイスにおいて、
配置は、電気の発生器へ接続されたものである
ことを特徴とする、デバイス。
付記（１５）：
最も少ないときで一つの電気分解のセルへ分裂させられた媒体を補給すると共に最も少ないときでその一つの電気分解のセルを回転させるために含まれた、水素を生産するための方法において、
セルによって生産されたガスは、冷却されたものであると共に圧力の下で分離されたものであること、
セルからの生産されたガス及び材料の残留物は、ノズルを補給すること、及び、
セルは、ノズルから放出されたものである生産されたガスからのガスの圧力の回転することを強制されたものである
ことを特徴とする、方法。
付記（１６）：
付記（１５）に記載の方法において、
不活性なガスは、セルへ補給されたものである
ことを特徴とする、方法。
【図１】
0005654346.tif 000002